(57)【要約】【課題】ユーザにとって利便性の高い電子機器制御システム等を提供する。【解決手段】電子機器制御システム１００、部屋Ｒに設置されるとともに、ネットワーク２０に接続されるエアコンディショナー等の電子機器５０と、ネットワーク２０を介して通信し、現在の位置情報を検出する位置情報検出手段を有する携帯端末４０と、ネットワーク２０に接続されるサーバ１０とを備える。サーバ１０は、前記位置情報に基づいて携帯端末４０が所定のエリア内に位置しているか否かを判別するとともに、携帯端末４０が所定のエリア内に位置している場合には、電子機器５０に電源を投入するよう指示情報を送信する。このため、外出中のユーザが、携帯端末の特別な操作を行わなくても、所定の位置まで近づいた場合、帰宅前に部屋Ｒの室温を所望の温度にできる。したがって、利便性の高い電子機器制御システム等を提供することができる。【選択図】図１
2012186725.tif 000002
【特許請求の範囲】
【請求項１】
特定の場所に設置されるとともに、公衆通信網に接続される電子機器と、
前記公衆通信網を介して通信し、現在の位置情報を検出する位置情報検出手段を有する携帯端末と、
前記公衆通信網に接続され、前記電子機器が設置された前記特定の場所を基準として規定される所定のエリア内に、前記携帯端末が位置しているか否かを、前記位置情報に基づいて判別するとともに、前記携帯端末が前記エリア内に位置している場合には、前記電子機器に電源を投入するよう指示情報を送信するサーバと、
を備えることを特徴とする電子機器制御システム。
【請求項２】
前記携帯端末は、前記携帯端末の周囲の温度を計測する第１温度計測手段を有し、
前記第１温度計測手段で計測した温度情報を、前記サーバを介して、前記電子機器に送信することを特徴とする請求項１に記載の電子機器制御システム。
【請求項３】
前記電子機器は、前記屋内の温度を計測する第２温度計測手段と、前記屋内に供給する空気の温度を調整する送風ユニットと、を有し、
前記送風ユニットは、前記携帯端末の前記第１温度計測手段が計測した温度及び前記電子機器の前記第２温度計測手段が計測した温度それぞれに基づいて、供給する空気の温度を調整することを特徴とする請求項２に記載の電子機器制御システム。
【請求項４】
公衆通信網に接続される電子機器が設置された特定の場所を基準として規定される所定のエリア内に、前記公衆通信網を介して通信し、現在の位置情報を検出する位置情報検出手段を有する携帯端末が位置しているか否かを判別する工程と、
前記携帯端末が前記エリア内に位置している場合には、前記電子機器に電源を投入するよう指示情報を送信する工程と、
を含むことを特徴とする電子機器制御方法。
【請求項５】
コンピュータを、
公衆通信網に接続される電子機器が設置された特定の場所を基準として規定される所定のエリア内に、前記公衆通信網を介して通信し、現在の位置情報を検出する位置情報検出手段を有する携帯端末が位置しているか否かを判別する手順、
前記携帯端末が前記エリア内に位置している場合には、前記電子機器に電源を投入するよう指示情報を送信する手順、
として機能させることを特徴とするプログラム。
【発明の詳細な説明】
【技術分野】
【０００１】
本発明は、電子機器制御システム、電子機器制御方法、及びプログラムに関する。
【背景技術】
【０００２】
近年、外出中のユーザが、携帯端末等からインターネットを介して、家庭用電気製品等の電子機器を遠隔操作することができる技術が実用化されている。例えば、下記特許文献１及び２には、外出中のユーザが携帯端末を用いて、電子機器に指示データを送信し、電子機器を制御するシステムが開示されている。
【先行技術文献】
【特許文献】
【０００３】
【特許文献１】特開２００５−２０５２３号公報
【特許文献２】特開２００７−１３３１０６号公報
【発明の概要】
【発明が解決しようとする課題】
【０００４】
特許文献１及び２に係るシステムにおいては、ユーザが指示データを送信しなければ、電子機器は動作しない。すなわち、外出中のユーザが、指示データの送信を忘れると、電子機器は動作せず、仮にこの電子機器がエアコンであった場合、ユーザが帰宅しても自室の温度は適温になっていることはない。そのため、ユーザが特別な操作をしなくても、帰宅時までに電子機器の動作が自動的に行われるような、より利便性の高い電子機器の制御システムが望まれる。
【０００５】
本発明は、上述の事情の下になされたもので、ユーザにとって利便性の高い電子機器制御システム、電子機器制御方法、及びプログラムを提供することを目的とする。
【課題を解決するための手段】
【０００６】
上記目的を達成するため、本発明の第１の観点に係る電子機器制御システムは、
特定の場所に設置されるとともに、公衆通信網に接続される電子機器と、
前記公衆通信網を介して通信し、現在の位置情報を検出する位置情報検出手段を有する携帯端末と、
前記公衆通信網に接続され、前記電子機器が設置された前記特定の場所を基準として規定される所定のエリア内に、前記携帯端末が位置しているか否かを、前記位置情報に基づいて判別するとともに、前記携帯端末が前記エリア内に位置している場合には、前記電子機器に電源を投入するよう指示情報を送信するサーバと、
を備えることを特徴とする。
【０００７】
上記目的を達成するため、本発明の第２の観点に係る電子機器制御方法は、
公衆通信網に接続される電子機器が設置された特定の場所を基準として規定される所定のエリア内に、前記公衆通信網を介して通信し、現在の位置情報を検出する位置情報検出手段を有する携帯端末が位置しているか否かを判別する工程と、
前記携帯端末が前記エリア内に位置している場合には、前記電子機器に電源を投入するよう指示情報を送信する工程と、
を含むことを特徴とする。
【０００８】
上記目的を達成するため、本発明の第３の観点に係るプログラムは、
コンピュータを、
公衆通信網に接続される電子機器が設置された特定の場所を基準として規定される所定のエリア内に、前記公衆通信網を介して通信し、現在の位置情報を検出する位置情報検出手段を有する携帯端末が位置しているか否かを判別する手順、
前記携帯端末が前記エリア内に位置している場合には、前記電子機器に電源を投入するよう指示情報を送信する手順、
として機能させることを特徴とする。
【発明の効果】
【０００９】
本発明によれば、電子機器制御システムは、携帯端末の現在の位置情報に基づいて、電子機器に電源を投入するように制御する。そのため、外出中のユーザが、携帯端末の操作を行わなくても、電子機器に対して所定の距離まで近づいた場合や、所定の場所に位置した場合に、帰宅前に電子機器の電源をオンにできる。これにより、携帯端末の操作を行わなくても、例えば、帰宅前にエアコンの電源をオンにできるなど、利便性の高い電子機器制御システム等を提供することができる。
【図面の簡単な説明】
【００１０】
【図１】本実施形態に係る電子機器制御システムを示す図である。
【図２】サーバのブロック図である。
【図３】携帯端末のブロック図である。
【図４】電子機器のブロック図である。
【図５】携帯端末の動作を示すフローチャートである。
【図６】サーバの動作を示すフローチャートである。
【図７】電子機器の動作を示すフローチャートである。
【発明を実施するための形態】
【００１１】
以下、本発明の実施形態に係る電子機器制御システム１００について図面を参照しつつ説明する。
【００１２】
電子機器制御システム１００は、外出中のユーザが携帯端末４０を用いて、電子機器５０を遠方から制御できるものであり、図１に示すように、携帯端末４０と、電子機器５０とに加えて、サーバ１０を有する。携帯端末４０は、ネットワーク２０、基地局３０−１〜３０−Ｎを介して、サーバ１０や電子機器５０に接続される。
【００１３】
サーバ１０は、携帯端末４０の現在位置を示す携帯端末位置情報を受信するとともに、電子機器５０が行う処理のための情報を送信する。このサーバ１０は、図２に示すように、ＣＰＵ（Central Processing Unit）１１と、主記憶部１２と、補助記憶部１３と、通信制御部１４と、それらを相互に接続するバス１５と、を備える。
【００１４】
主記憶部１２は、ＲＡＭ（Random Access Memory）等を含んで構成され、ＣＰＵ１１の作業領域として用いられる。
【００１５】
補助記憶部１３は、ＲＯＭ（Read Only Memory）、磁気ディスク、半導体メモリ等の不揮発性メモリを含んで構成されている。この補助記憶部１３は、ＣＰＵ１１が実行するプログラム、各種パラメータを記憶している。さらに、補助記憶部１３は、電子機器位置情報、電源投入指示の設定情報、電源投入エリア情報も記憶している。電子機器位置情報は、電子機器５０が設置されている位置を示している。本実施形態においては、電子機器５０は、携帯端末４０のユーザの部屋Ｒに設置されている（図１参照）。電源投入指示の設定情報は、携帯端末位置情報を受信した場合に、電子機器５０に電源を投入するように指示するか否かを判断するための情報（指示信号が送信可能設定となっているか、非送信設定となっているかの情報）である。電源投入エリア情報は、例えば、電子機器５０の設置位置からの所定のエリアを規定している。このエリアは、例えば、電子機器５０を基準として半径５ｋｍ以内の円というように規定される。
【００１６】
通信制御部１４は、ネットワーク２０を介して基地局３０−１〜３０−Ｎや電子機器５０等との間でデータの送受信を行う。
【００１７】
ＣＰＵ１１は、補助記憶部１３に記録されているプログラムを実行することにより、上記各部の統括的な制御を行う。具体的には、サーバ１０が携帯端末位置情報を受信した場合、補助記憶部１３に記憶された電源投入指示の設定情報に基づいて、指示信号が送信可能設定になっているか否かを判断する。また、電源投入エリア情報に基づいて、携帯端末４０が所定のエリア内にあるか否かを判断する。そして、これらの判断に基づいて、電子機器５０に電源を投入するように指示信号を送信する。
【００１８】
ネットワーク２０は、ＩＰ（Internet Protocol）に従い、様々なデータを伝送する。このネットワーク２０は、図１に示すように、サーバ１０と、基地局３０−１〜３０−Ｎと、電子機器５０と、にそれぞれ接続される。
【００１９】
基地局３０−１、３０−２〜３０−Ｎは、自己の通信エリア内それぞれの携帯端末４０に無線接続される無線通信部、ネットワーク２０を介してサーバ１０に有線接続される中継処理部を含んで構成される。基地局３０−１〜３０−Ｎは、自己の通信エリア内に位置する携帯端末４０からの信号を受信し、その信号をサーバ１０等に送信する。
【００２０】
携帯端末４０は、例えば、携帯電話機として構成され、図３に示すように、ＣＰＵ４１と、主記憶部４２と、補助記憶部４３と、無線通信部４４と、操作部４５と、表示部４６と、測位部４７と、温度計測部４８と、音声処理ユニットと、カメラユニットと、これらを相互に接続するバス４９と、を備える。
【００２１】
主記憶部４２は、ＲＡＭ等を含んで構成され、ＣＰＵ４１の作業領域として用いられる。
【００２２】
補助記憶部４３は、ＲＯＭ、磁気ディスク、半導体メモリ等の不揮発性メモリを含んで構成されている。この補助記憶部４３は、ＣＰＵ４１が実行するプログラム、及び各種パラメータなどを記憶している。
【００２３】
無線通信部４４は、アンテナ４４ａを有し、基地局３０−１〜３０−Ｎのうちのいずれかとの間で無線によるデータの送受信を行う。具体的には、通話情報や、後述する測位部４７が求めた携帯端末４０の位置情報の送受信を行う。
【００２４】
操作部４５は、テンキー、方向キー／決定キー、及びファンクションキー等から構成される。ユーザによる情報の入力は、操作部４５を通じて行われる。操作部４５は、ユーザの操作に応じた信号をＣＰＵ４１に出力する。
【００２５】
表示部４６は、画像、図形、文字、記号などの情報を表示する。表示部４６は、例えば、液晶パネルである。
【００２６】
測位部４７は、ＧＰＳ（Global Positioning System）受信機を有する。ＧＰＳ受信機は、複数のＧＰＳ衛星から発射された電波を受信する。そして、測位部４７は、携帯端末４０に到達するまでの時間を測定し、その時間差からＧＰＳ衛星と携帯端末４０との距離を求め、この距離を利用して現在位置（位置座標）を求める。測位部４７は、この携帯端末位置情報に対応した信号をＣＰＵ４１に出力する。
【００２７】
温度計測部４８は、サーミスタ等を含んで構成され、携帯端末４０の周囲の温度を計測する。そして、温度計測部４８は、この温度情報に対応した信号をＣＰＵ４１に出力する。
【００２８】
ＣＰＵ４１は、補助記憶部４３に記録されているプログラムを実行することにより、上記各部の統括的な制御を行う。具体的には、操作部４５からの出力に応じて、無線通信部４４、音声処理部、カメラユニットの制御を行う。また、測位部４７、温度計測部４８、カメラユニットから出力される信号に基づいて、適宜必要な情報を表示部４６に表示させたり、基地局３０−１〜３０−Ｎに送信したりする。さらに、測位部４７から出力される現在位置の情報をサーバ１０に送信する。
【００２９】
電子機器５０は、図１に示すように、例えば、一般住宅の部屋Ｒに設置されたエアコンディショナー等の家電製品である。この電子機器５０は、図４に示すように、ＣＰＵ５１と、主記憶部５２と、補助記憶部５３と、操作部５４と、表示部５５と、温度計測部５６と、送風ユニット５７と、ローカル通信部５８と、無線通信部５９と、これらを相互に接続するバス５０ａと、を備える。
【００３０】
主記憶部５２は、ＲＡＭ等を含んで構成され、ＣＰＵ５１の作業領域として用いられる。
【００３１】
補助記憶部５３は、ＲＯＭ、磁気ディスク、半導体メモリ等の不揮発性メモリを含んで構成されている。この補助記憶部５３は、ＣＰＵ５１が実行するプログラム、及び各種パラメータなどを記憶している。
【００３２】
操作部５４は、例えば、リモコン装置と、このリモコン装置の受信ユニットとを含んで構成される。ユーザによる電子機器５０への情報の入力は、この操作部５４を通じて行われる。具体的には、冷房や暖房等の切り替え、希望する温度、風向き、タイマー等の設定は、この操作部５４を通じて行われる。操作部５４は、ユーザの操作に応じた信号をＣＰＵ５１に出力する。
【００３３】
表示部５５は、例えば、液晶パネルであり、部屋Ｒの室温や設定温度その他の設定内容を表示する。
【００３４】
温度計測部５６は、部屋Ｒの室温を計測する。そして、温度計測部５６は、この温度情報に対応した信号をＣＰＵ５１に出力する。
【００３５】
送風ユニット５７は、部屋Ｒに冷風又は温風を供給する。また、送風ユニット５７は、温度制御装置を備えており、この温度制御装置は、ＣＰＵ５１からの信号に基づいて、送風ユニット５７から供給される空気の温度を制御する。
【００３６】
ローカル通信部５８は、ネットワーク２０を介してサーバ１０等との間でデータの送受信を行う。
【００３７】
無線通信部５９は、携帯端末４０やそれ以外の情報端末との間で無線によるデータの送受信を行う。
【００３８】
ＣＰＵ５１は、補助記憶部５３に記録されているプログラムを実行することにより、上記各部の統括的な制御を行う。具体的には、操作部５４や温度計測部５６からの出力に応じて、送風ユニット５７の制御を行う。また、操作部５４、温度計測部４８から出力される信号に基づいて、適宜必要な情報を表示部５５に表示させる。
【００３９】
上述した電子機器制御システム１００の動作について、図１及び図５〜図７を参照しつつ説明する。
【００４０】
図５に示されるフローチャートは、携帯端末４０のＣＰＵ４１が実行する一連の処理を示している。このフローチャートに示される処理は、携帯端末４０が起動している間、実行される。
【００４１】
最初のステップＳ１０１では、ＣＰＵ４１は、測位部４７から入力された携帯端末４０の携帯端末位置情報を基地局３０−１〜３０−Ｎに送信するタイミングを待ち受ける。そして、送信するタイミングになった場合には、ステップＳ１０１での判断が肯定され（ステップＳ１０１：Ｙｅｓ）、ＣＰＵ４１は、次のステップＳ１０２へ移行する。
【００４２】
ステップＳ１０２では、ＣＰＵ４１は、基地局３０−１〜３０−Ｎのいずれかに携帯端末４０の携帯端末位置情報を送信する。
【００４３】
一方、ステップＳ１０１での判断が否定された場合は（ステップＳ１０１：Ｎｏ）、ＣＰＵ４１は、再び、測位部４７が求めた携帯端末４０の携帯端末位置情報を基地局３０−１〜３０−Ｎに送信するタイミングを待ち受ける。
【００４４】
携帯端末４０から送信された携帯端末位置情報は、図１を参照するとわかるように、基地局３０−１〜３０−Ｎを介して、サーバ１０に送信される。
【００４５】
図６に示されるフローチャートは、サーバ１０のＣＰＵ１１が実行する一連の処理を示している。
【００４６】
最初のステップＳ２０１において、ＣＰＵ１１は、携帯端末４０からの携帯端末位置情報を待ち受ける。そして、携帯端末４０からの携帯端末位置情報を受信した場合には、ステップＳ２０１での判断が肯定され（ステップＳ２０１：Ｙｅｓ）、ＣＰＵ１１は、次のステップＳ２０２へ移行する。
【００４７】
ステップＳ２０２では、ＣＰＵ１１は、携帯端末４０からの携帯端末位置情報を、補助記憶部１３に記憶されている電源投入エリア情報と照合し、携帯端末４０が、予め設定されているエリア内にあるか否かを判断する。エリア内にあると判断された場合には、ステップＳ２０２での判断が肯定され（ステップＳ２０２：Ｙｅｓ）、ＣＰＵ１１は、次のステップＳ２０３へ移行する。
【００４８】
ステップＳ２０３では、ＣＰＵ１１は、補助記憶部１３に記憶された電源投入指示の設定情報に基づいて、電源投入指示の情報が送信可能状態に設定されているか否かを判断する。送信可能状態の設定となっていると判断された場合には、ステップＳ２０３での判断が肯定され（ステップＳ２０３：Ｙｅｓ）、ＣＰＵ１１は、次のステップＳ２０４へ移行する。
【００４９】
ステップＳ２０４では、ＣＰＵ１１は、電子機器５０に電源投入指示の情報を、ネットワーク２０を介して送信する。そして、ＣＰＵ１１は、次のステップＳ２０５へ移行する。
【００５０】
ステップＳ２０５では、ＣＰＵ１１は、補助記憶部１３に記憶された電源投入指示の設定情報を、電源投入指示の情報が送信可能状態から非送信状態に設定を切り替える。
【００５１】
そして、ＣＰＵ１１は、再び、ステップＳ２０１に移行し、携帯端末４０からの携帯端末位置情報を待ち受ける。
【００５２】
一方、ステップＳ２０２での判断が否定された場合は（ステップＳ２０２：Ｎｏ）、ＣＰＵ１１は、次のステップＳ２０６へ移行する。
【００５３】
ステップＳ２０６では、ＣＰＵ１１は、補助記憶部１３に記憶された電源投入指示の設定情報に基づいて、電源投入指示の情報を送信することができる送信可能状態になっているか否かを判断する。非送信状態になっていると判断された場合には、すなわち、ステップＳ２０６での判断が否定された場合（ステップＳ２０６：Ｎｏ）、ＣＰＵ１１は、次のステップＳ２０７へ移行する。
【００５４】
ステップＳ２０７では、ＣＰＵ１１は、補助記憶部１３に記憶された電源投入指示の設定を、電源投入指示の情報を送信可能状態に切り替える。そして、ＣＰＵ１１は、再び、ステップＳ２０１に移行し、携帯端末４０からの携帯端末位置情報を待ち受ける。
【００５５】
一方、ステップＳ２０１、ステップＳ２０３での判断が否定された場合は（ステップＳ２０１：Ｎｏ、ステップＳ２０３：Ｎｏ）、ＣＰＵ１１は、再び、ステップＳ２０１に移行し、携帯端末４０からの位置情報を待ち受ける。同様に、ステップＳ２０６での判断が肯定された場合、すなわち、送信可能状態になっている判断された場合にも（ステップＳ２０６：Ｙｅｓ）、ＣＰＵ１１は、ステップＳ２０１に移行し、携帯端末４０からの位置情報を待ち受ける。
【００５６】
サーバ１０から送信された電源投入指示の情報は、図１を参照するとわかるように、ネットワーク２０を介して、部屋Ｒに設置された電子機器５０に送信される。
【００５７】
図７に示されるフローチャートは、電子機器５０のＣＰＵ５１が実行する一連の処理を示している。このフローチャートに示される処理は、電子機器５０が商用の電源に接続され、待機状態の間に実行される。
【００５８】
最初のステップＳ３０１では、ＣＰＵ５１は、サーバ１０からの電源投入指示の情報を待ち受ける。そして、サーバ１０からの情報を受信した場合には、ステップＳ３０１での判断が肯定され（ステップＳ３０１：Ｙｅｓ）、ＣＰＵ５１は、次のステップＳ３０２へ移行する。
【００５９】
ステップＳ３０２では、ＣＰＵ５１は、電子機器５０の電源がオフになっているか否かを判断する。電源がオフとなっていると判断された場合には、ステップＳ３０２での判断が肯定され（ステップＳ３０２：Ｙｅｓ）、ＣＰＵ５１は、次のステップＳ３０３へ移行する。
【００６０】
ステップＳ３０３では、ＣＰＵ５１は、電子機器５０に電源を投入する。そして、ＣＰＵ５１は、再び、ステップＳ３０１に移行し、サーバ１０からの電源投入指示の情報を待ち受ける。
【００６１】
同様に、ステップＳ３０１、ステップＳ３０２での判断が否定された場合は（ステップＳ３０２：Ｎｏ）、ＣＰＵ５１は、次のステップＳ３０１へ移行し、サーバ１０からの電源投入指示の情報を待ち受ける。
【００６２】
以上の処理を行うことで、電子機器５０には電源が投入される。電源が投入されると、送風ユニット５７は、冷風又は温風を部屋Ｒに供給する。同時に、電子機器５０の温度計測部５６が、部屋Ｒの室温を計測する。この計測した温度に基づいて、送風ユニット５７は、冷風又は温風の供給の停止及び再開を行ったり、供給する空気の温度調整を行ったりする。これにより、部屋Ｒの室温を、ユーザが設定した温度に調整する。
【００６３】
以上、説明したように、本実施形態に係る電子機器制御システム１００は、携帯端末４０の携帯端末位置情報に基づいて、携帯端末４０が所定のエリア内に入った場合には、サーバ１０は、電子機器５０に電源を投入する指示情報を送信する。これにより電子機器５０に電源が投入され、ユーザは外出中に特別な操作をすることなく、帰宅した時の部屋Ｒの室内温度を適温にすることができる。そのため、ユーザにとって、利便性の高い電子機器制御システム１００を提供することができる。
【００６４】
また、本実施形態においては、サーバ１０は、携帯端末４０の測位部４７が求めた携帯端末位置情報を受信しているが、これに加えて、携帯端末４０の温度計測部４８の計測した温度情報を受信してもよい。この場合、サーバ１０は、例えば、温度計測部４８の計測した温度が所定の温度以上の場合は電子機器５０を冷房の設定にしたり、所定の温度以下の場合は暖房の設定にしたりすることができる。
【００６５】
また、本実施形態においては、サーバ１０は、電源投入指示の情報を電子機器５０に送信しているが、これに加えて、携帯端末４０の温度計測部４８の計測した温度の情報も送信することができる。この場合、電子機器５０は、電子機器５０自身の温度計測部５６が計測して温度の情報に加えて、携帯端末４０の温度計測部４８の計測した温度の情報に基づいて、精度の高い温度調整をすることができる。
【００６６】
また、本実施形態においては、携帯端末４０が所定のエリア内に入った場合に、電子機器５０に電源を投入している。しかしながら、これに限らず、携帯端末４０が所定の位置（例えば、ユーザが通勤、通学で利用する最寄り駅など）に位置した場合に、電子機器５０に電源を投入することもできる。
【００６７】
また、本実施形態においては、電子機器５０は、エアコンディショナーであるが、これに限らず、電灯や全自動バスユニット等であってもよい。
【００６８】
また、本実施形態においては、携帯端末４０は、携帯端末位置情報を基地局３０−１〜３０−Ｎ、ネットワーク２０、サーバ１０等を経由して、電子機器５０に送信しているが、これに限らず、直接電子機器５０に送信してもよい。
【００６９】
上記の実施形態で用いられるプログラムは、フレキシブルディスク（磁気記録ディスク等）、ＣＤ−ＲＯＭ（Compact Disk Read-Only Memory）、ＤＶＤ（Digital Versatile Disk）、ＭＯ（Magneto-Optical disk）等の記録媒体（コンピュータで読み取り可能な記録媒体）に格納されて配布可能にされたものであってもよい。この場合、そのプログラムを所定のコンピュータにインストールすることにより、上述の処理を実行することができる。また、上記の実施形態のプログラムは、通信ネットワーク（例えばインターネットやイントラネット等）上に設けられたサーバの記憶装置（ハードディスク等）に格納され、例えば搬送波に重畳されてローカルコンピュータにダウンロードされるものであっても、又は随時サーバから読み出されてローカルコンピュータで起動実行されるものであってもよい。なお、機能の一部をＯＳ（Operating System）が担う場合には、ＯＳが担う機能以外の部分のみを配布又は転送するようにしてもよい。
【００７０】
本発明は、本発明の広義の精神と範囲を逸脱することなく、様々な実施形態及び変形が可能とされるものである。上述した実施形態は、本発明を説明するためのものであり、本発明の範囲を限定するものではない。
【００７１】
上記の実施形態の一部又は全部は、以下の付記のようにも記載されうるが、以下には限られない。
【００７２】
（付記１）特定の場所に設置されるとともに、公衆通信網に接続される電子機器と、
前記公衆通信網を介して通信し、現在の位置情報を検出する位置情報検出手段を有する携帯端末と、
前記公衆通信網に接続され、前記電子機器が設置された前記特定の場所を基準として規定される所定のエリア内に、前記携帯端末が位置しているか否かを、前記位置情報に基づいて判別するとともに、前記携帯端末が前記エリア内に位置している場合には、前記電子機器に電源を投入するよう指示情報を送信するサーバと、
を備えることを特徴とする電子機器制御システム。
【００７３】
（付記２）前記携帯端末は、前記携帯端末の周囲の温度を計測する第１温度計測手段を有し、
前記第１温度計測手段で計測した温度情報を、前記サーバを介して、前記電子機器に送信することを特徴とする付記１に記載の電子機器制御システム。
【００７４】
（付記３）前記電子機器は、前記屋内の温度を計測する第２温度計測手段と、前記屋内に供給する空気の温度を調整する送風ユニットと、を有し、
前記送風ユニットは、前記携帯端末の前記第１温度計測手段が計測した温度及び前記電子機器の前記第２温度計測手段が計測した温度それぞれに基づいて、供給する空気の温度を調整することを特徴とする付記２に記載の電子機器制御システム。
【００７５】
（付記４）公衆通信網に接続される電子機器が設置された特定の場所を基準として規定される所定のエリア内に、前記公衆通信網を介して通信し、現在の位置情報を検出する位置情報検出手段を有する携帯端末が位置しているか否かを判別する工程と、
前記携帯端末が前記エリア内に位置している場合には、前記電子機器に電源を投入するよう指示情報を送信する工程と、
を含むことを特徴とする電子機器制御方法。
【００７６】
（付記５）コンピュータを、
公衆通信網に接続される電子機器が設置された特定の場所を基準として規定される所定のエリア内に、前記公衆通信網を介して通信し、現在の位置情報を検出する位置情報検出手段を有する携帯端末が位置しているか否かを判別する手順、
前記携帯端末が前記エリア内に位置している場合には、前記電子機器に電源を投入するよう指示情報を送信する手順、
として機能させることを特徴とするプログラム。
【符号の説明】
【００７７】
１０  サーバ
１１  ＣＰＵ
１２  主記憶部
１３  補助記憶部
１４  通信制御部
１５  バス
２０  ネットワーク（公衆通信網）
３０−１、３０−２、３０−Ｎ  基地局
４０  携帯端末
４１  ＣＰＵ
４２  主記憶部
４３  補助記憶部
４４  無線通信部
４４ａ  アンテナ
４５  操作部
４６  表示部
４７  測位部
４８  温度計測部（第１温度計測手段）
４９  バス
５０  電子機器
５０ａ  バス
５１  ＣＰＵ
５２  主記憶部
５３  補助記憶部
５４  操作部
５５  表示部
５６  温度計測部（第２温度計測手段）
５７  送風ユニット
５８  ローカル通信部
５９  無線通信部
１００  電子機器制御システム
Ｒ  部屋
【図１】
2012186725.tif 000003
【図２】
2012186725.tif 000004
【図３】
2012186725.tif 000005
【図４】
2012186725.tif 000006
【図５】
2012186725.tif 000007
【図６】
2012186725.tif 000008
【図７】
2012186725.tif 000009